(57)【要約】 【課題】本考案は異なるI/O端子により標準仕様を設置する転換装置である。【解決手段】その転換装置は、スティックメモリーＰＲＯデュオと同じ規格サイズに合うスロットを指し、一端では他の種類の記憶装置を収納することができるスロットを構築し、もう一端には電路が配備され両側にメモリースティックＰＲＯデュオインターフェイスをもつ10個のI/O端子及びその他の種類のメモリーカードをスロットに差し込むと電気信号で転送インターフェイスをつなげるスロット内に伸びたピンから形成される基板が設置されており、これを異なるメモリースティック系の標準仕様に適用し、基板に搭載されたセーフティーチップによりメモリー装置に設定されたパスワードが確認されたかどうかを点検し、外部へのデータ漏洩を回避することができるものである。【選択図】  図２
0003124423.tif 000002
【実用新案登録請求の範囲】
【請求項１】
一種の異なるI/O端子により標準仕様を設定する転換装置で、外側に取り付けられるデジタル機器と同じ規格サイズに合うスロットを指し、その一端には種類の異なるメモリー装置を収容できるスロットがあり、接続装置内に電路が配備され両側にメモリースティックＰＲＯデュオインターフェイスをもつ10個のI/O端子及びその他の種類のメモリーカードをスロットに差し込むと電気信号で転送インターフェイスをつなげるスロット内に伸びたピンから形成される基板が設置され、基板の上にある電路配置を使って他の規格のメモリー装置を統合して植え付けることで、外部のデジタル機器とつなぐことができるインターフェイス規格に一致することを特徴とする一種の異なるI/O端子により標準仕様を設定する転換装置。
【請求項２】
前記異なるI/O端子により標準仕様を設定する転換装置は、転換装置のインターフェイス及び寸法がメモリースティック系インターフェイス規格であることを特徴とする請求項１に記載の異なるI/O端子により標準仕様を設定する転換装置。
【請求項３】
前記異なるI/O端子により標準仕様を設定する転換装置は、基板上にメモリー装置のパスワードが確認されたかどうかを検査するセーフティーチップが搭載されていることを特徴とする請求項１に記載の異なるI/O端子により標準仕様を設定する転換装置。
【考案の詳細な説明】
【技術分野】
【０００１】
本考案は異なるI/O端子により標準仕様を設定する転換装置であり、特にデータの保存・読み取りを行うためのメモリーカードアダプターに関する。
【背景技術】
【０００２】
一般的にメモリーカードはデジタル周辺機器の保存媒体として使われている。現在、市場にはコンパクトフラッシュ（登録商標）カード（ＣＦカード）、ｘＤピクチャーカード（ｘＤカード）、マルチメディアカード（ＭＭＣカード）、リデュートサイズのマルチメディアカード、スマートメディアカード（ＳＭカード）、メモリースティック（マジックゲート、メモリースティックＰＲＯデュオを含む）、ＳａｎＤｉｓｋ社が新たに発表したＭｉｎｉＳＤカード、トランスフラッシュカード（ＴＦカード）など非常に多くの機種・型番が出回っており、各種デジタル周辺機器はいずれも特定の限られたメモリーカードしか使えないのが現状である。したがって、メモリーカードはデジタルカメラや手のひらサイズのプレイヤー、ＭＰ３プレイヤー、ＰＤＡ、携帯電話機などそれぞれの型番やメーカーの違うさまざまな形状や規格に合うように作られている。
【０００３】
現在、規格の異なるメモリーカード間の転換にはアダプター（図１参照）が使われており、そのアダプターＡはデジタル機器に内蔵されているメモリーカードと同じ規格寸法のスロットと一致し、一端には種類は違うものの同じ系列のメモリーカードBを収納することができるスロットA1が構築され、もう一端には種類が違うものの同じ系列のメモリーカードＢをスロットＡ１に差し込むと電気信号でつながるスロットＡ1内に向かって接触端が伸びる導電端子が埋め込まれている。
【０００４】
ところが、各種デジタル機器の規格は一致するとは限らず、同じ系列、同じ陣営のメモリーカードでなければ、その互換性は非常に低い。メモリーカードのI/O端子は音声や画像、電源など一種の電気信号を分けるためのもので、規格の異なるメモリーカードI/O端子の設置位置や排列方法はそれぞれ違う。そのため、メモリーカード間の転換は体積や長さが違うだけである。メモリースティック、メモリースティック
PRO、メモリースティック PROデュオ系の間の転換、またはSDカード、miniSDカードシリーズなどをお互いに転換するには、寸法・大きさの違うメモリーカードでも転換するのに必要な標準仕様は同じでなければならず、電路配置やI/O端子の位置が違えば使用することはできない。このため、それぞれ規格・I/P位置・寸法・大きさの違うメモリーカードの標準仕様を一つのアダプターを介すことで互換性を持たせることができれば、メモリーカードとカードアダプターの「適用性」に役立つことは間違いない。
【０００５】
これに鑑み、考案者はこれら問題に関する研究改良を進め、ついに本考案を生み出したのである。
【考案の開示】
【考案が解決しようとする課題】
【０００６】
そこで、本考案では規格・I/P位置・寸法のそれぞれ違うメモリーカードと接続するインターフェイスとの間の転換と適用を主な目的としている。
【０００７】
もう一つの目的は、接続した時にインターフェイスにより確認という確かなフィードバックを提供することにある。
【課題を解決するための手段】
【０００８】
前記目的を達成するため、異なるI/O端子により標準仕様を設定する転換裝置を考案し、接続裝置により外部のデジタル機器と内部に埋め込まれたメモリー装置との間を結び、基板を通して外部とつなぐI/O端子及びメモリー装置をスロットに差し込むと、電気信号により導電端子（pin）を結びつけ、セーフティーチップによりメモリー装置に設定されたパスワードが確認されたかどうかを点検し、データの漏出を回避できるものである。
【０００９】
本考案にかかわる詳しい構造、使用効果、応用原理については、より理解を深めていただくために、次の図を参照しながら説明を加えていく。
【実施例】
【００１０】
まず本考案の第一の実施例につき、図２を参照して説明する。またその他の図も同時に参照していただきたく。図の通り、本考案の主体はメモリー装置1と接続裝置2である。
【００１１】
メモリー装置1は外部の装置を電気信号でつなぐメモリーカード転送インターフェイス11と、本体に搭載されたフラッシュメモリー15によりデータの転送や保存を行う保存インターフェイス12で、転換コントローラー10内に設置されているセーフティーパスワード14とRAM13により、そのメモリー装置1を互換性のあるPDA、デジタルカメラ、デジタルビデオカメラ、MP3プレイヤーなどのデジタル機器３と安全かつスピーディーにアプリケートさせる。
【００１２】
接続裝置2はメモリースティック PRO デュオと同じ規格サイズに合うスロットで、その一端にはほかの種類のメモリー装置1を収納することができるスロット20（図４参照）を構築し、もう一端には他の種類のメモリー装置1をスロット20に差し込むと電気信号でつながる接続インターフェイスがある。
【００１３】
本考案の最大の特長は、接続裝置2の中をデジタル機器3及びメモリー装置1の接続インターフェイスとしたことにある。それは基板21に電路を配置し、基板21の両側にそれぞれメモリースティック系インターフェイス211規格に合ったI/O端子を１０個形成し、メモリー装置1をスロットに差し込むと、電気信号によりつながる導電端子として提供するメモリーカード転送インターフェイス212をpinを備えるスロット内に伸ばした。メモリーカード転送インターフェイス212及びメモリースティック系インターフェイス211の間は電路配置（図３参照）により結びつけられるため、違うI/O端子を設置する標準仕様を有効的につなぐことができるのである。したがって、本考案独自の設計により、それぞれ異なる2種類の規格・I/O端子配置・I/O端子配置数を基板に設置された電路を使って統合することで接続装置２の規格に適用し、それぞれ異なるI/O端子を設置する標準仕様の２つのインターフェイスを結んで使えるようにした。
【００１４】
もちろん、SD系インターフェイスまたはメモリースティック PROなどのインターフェイスを接続裝置2の外部デジタル機器3をつなぐI/O端子とし、メモリースティックインターフェイス、XDインターフェイスを搭載したメモリーカードを接続裝置2に差し込むこともできる。これら構造的な転換はすべて本考案にかかわる技術カテゴリーに属するものである。
【００１５】
このほか、本考案は基板21にメモリー装置１に設置されたセーフティーパスワード14がきちんと確認されたかどうかを点検し、データ漏洩を回避するセーフティーチップ22を搭載しているため、製品に対する信頼度と秘守度を高めた。
【００１６】
このように、本考案である異なるI/O端子を設置した設標準仕様の転換は、２種類の異なる規格を備えた接続インターフェイス及びメモリー装置の転換、産業上の利用に大いに役立つものである。この技術は現時点で公開されていないことから、特許法の規定を満たしているとみなし、法律に基づきここに実用新案登録を請求する。
【００１７】
前記記述は本考案を実施するための最良の形態・実施例であり、本創作の権利範囲に限定するものではない。本考案に係り特許請求の範囲で使用された変化や修飾はすべて本創作の特許範囲内に包括されるものとする。
【図面の簡単な説明】
【００１８】
【図１】従来のメモリーカードと転換カードの使い方説明図である。
【図２】本考案に関する具体的実施例の説明図である。
【図３】本考案に関する具体的実施例の電路図である。
【図４】本考案に関する具体的実施例の使用図である。
【符号の説明】
【００１９】
1…………メモリー装置
10………転換コントローラー
11………メモリーカード転送インターフェイス
12………保存インターフェイス
14………セーフティーパスワード
13………ＲＡＭ
15………フラッシュメモリー
2…………接続裝置        
20………スロット
21………基板
212……メモリーカード転送インターフェイス
211……メモリースティック系インターフェイス
22………セーフティーチップ
3…………デジタル機器       
A………ＳＤカード
A1………スロット
Ｂ………miniＳＤカード      
【図１】
0003124423.tif 000003
【図２】
0003124423.tif 000004
【図３】
0003124423.tif 000005
【図４】
0003124423.tif 000006